(57)【特許請求の範囲】
【請求項１】
複数のノードをリング伝送路により接続した双方向ライン・スイッチ・リング方式のリング伝送システムのスケルチ方法に於いて、
前記リング伝送路は、現用回線と予備回線とを含み、前記各ノードは、自ノードを基準として前記リング伝送路に接続された順番を示すモディファイド・ノード識別番号と書くノードの識別番号とを対応させて、該モディファイド・ノード識別番号による通信ノード間を示すモディファイド・スケルチ・テーブルと、該モディファイド・スケルチ・テーブルに格納された通信ノード間を示すモディファイド・ノード識別番号と障害発生による信号が到達しないノードのモディファイド・ノード識別番号との大小比較によりスケルチ判定を行うスケルチ判定部とを備え、前記各ノードは、正常時のアイドル状態と、障害発生時のパス・スルー状態及びイースト側とウエスト側とのスイッチング状態とを示すノード・ステータスを設定し、該ノード・ステータスに応じて予備回線チャネルに対するスケルチ判定を行う過程を含む
ことを特徴とするリング伝送システムのスケルチ方法。
【請求項２】
前記ノード・ステータスが前記パス・スルー状態を示す時、予備回線チャネルの総てのドロップ側に対してタイムスロット・アサイン部の前段にスケルチを実行する過程を含むことを特徴とする請求項１記載のリング伝送システムのスケルチ方法。
【請求項３】
前記ノード・ステータスが前記スイッチング状態を示す時、モディファイド・ノード識別番号によりモディファイド・スケルチ・テーブルを参照して前記スケルチ判定部によりスケルチ判定を行うと共に、前記予備回線チャネルの総てのドロップ側に対してタイムスロット・アサイン部の前段にスケルチを実行し、且つ予備回線チャネルのノードの入力側及び出力側に対してスケルチを実行する過程を含むことを特徴とする請求項１記載のリング伝送システムのスケルチ方法。
【請求項４】
複数のノードをリング伝送路により接続した双方向ライン・スイッチ・リング方式のリング伝送システムに於ける障害発生時スケルチを必要とする判定時に、未使用回線に対して強制的にスケルチを実行する過程を含むことを特徴とする請求項１記載のリング伝送システムのスケルチ方法。
【請求項５】
チャネル対応に且つ信号の送受信方向対応にノード識別番号を格納したスケルチ・テーブル又は前記モディファイド・スケルチ・テーブルの未使用回線チャネルに対して、自ノード識別番号又は自ノードのモディファイド・ノード識別番号を格納する過程を含むことを特徴とする請求項１又は請求項４記載のリング伝送システムのスケルチ方法。
【請求項６】
前記各ノードは、主信号系ユニットに於けるスケルチ判定結果のうち、前記未使用回線チャネルに対する強制的なスケルチを除いて、制御系ユニットに通知する過程を含むことを特徴とする請求項４記載のリング伝送システムのスケルチ方法。
【発明の詳細な説明】
【０００１】
【発明の属する技術分野】
本発明は、複数のノードをリング伝送路により接続した双方向ライン・スイッチ・リング方式を適用したリング伝送システムのスケルチ方法に関する。
複数ノードをリング伝送路により接続したシステムは、単一方向パス・スイッチ・リング（ＵＰＳＲ；Ｕni-directional  Ｐath Ｓwitched Ｒing ）方式と双方向ライン・スイッチ・リング（ＢＬＳＲ；Ｂi-directional Ｌine Ｓwitched Ｒing ）方式とに大別できる。
【０００２】
前者の単一方向パス・スイッチ・リング（ＵＰＳＲ）方式に比較して、後者の双方向ライン・スイッチ・リング（ＢＬＳＲ）方式は、同一チャネルを、異なるノード間に於いて使用可能となるから、回線容量を大きくできる利点がある。この双方向ライン・スイッチ・リング方式に於いて、複数個所に障害が発生してリング伝送路が分断された状態となると、目的ノードに到達できない信号が発生し、その信号が障害救済の為のループバックによって他のノードに伝送される場合がある。その場合は、誤ったノード間の通信となるから、目的ノードに到達できない信号を、パス警報表示信号（Ｐ−ＡＩＳ；Ｐath Ａlarm  Ｉndication Ｓignal ）に置換して送出するスケルチ（squelch ）が実行される。このスケルチを効率良く、且つ高速で実行することが要望されている。
【０００３】
【従来の技術】
図３１は障害の救済説明図であり、単一方向パス・スイッチ・リング（以下「ＵＰＳＲ」と略称する）方式は、（ａ）に示すように、ノード（Ｃ）から、ノード（Ｂ）方向のＥＷ側と、ノードＤ方向のＷＥ側とに、同一の信号を例えばチャネルｃｈ．１によって送出し、ノード（Ａ）はチャネルｃｈ．１の信号をパス・スイッチＰａｔｈＳＷによって選択受信する。従って、例えば、（ｂ）に示すように、ノード（Ａ），（Ｂ）間に障害が発生しても、ノード（Ａ）は、パス・スイッチＰａｔｈＳＷによってノード（Ｄ）を介したチャネルｃｈ．１の信号を選択受信することができるから、ノード（Ｃ），（Ａ）間の通信を継続することができる。
【０００４】
又双方向ライン・スイッチ・リング（以下「ＢＬＳＲ」と略称する）方式は、（ｃ）に示すように、ノード（Ｃ）は、例えば、ＥＷ側のチャネルｃｈ．１によりノード（Ａ）への信号を送出し、又ＷＥ側のチャネルｃｈ．１によりノード（Ｄ）への信号を送出し、又ノード（Ｄ）は、ＷＥ側のチャネルｃｈ．１によりノード（Ａ）への信号を送出することができる。即ち、同一チャネルｃｈ．１を用いて、例えば、ノード（Ｃ），（Ａ）間、ノード（Ｃ），（Ｄ）間、ノード（Ｄ），（Ａ）間の通信が可能となり、ＵＰＳＲ方式に比較して回線容量を大きくすることができる。
【０００５】
このＢＬＳＲ方式に於いて、（ｄ）に示すように、ノード（Ａ），（Ｂ）間に障害が発生すると、ＡＰＳ（Ａutomatic  Ｐrotection Ｓwitch ）プロトコルにより救済するものであり、ノード（Ｂ）では、例えば、チャネルｃｈ．１を、細線で示す予備回線のチャネルｃｈ．２５にループバックし、ノード（Ａ）では、予備回線のチャネルｃｈ．２５をチャネルｃｈ．１に切替えることにより、ノード（Ｃ）からのチャネルｃｈ．１に送出した信号を、ノード（Ｂ）に於いて予備回線のチャネルｃｈ．２５に切替えて折返し、ノード（Ａ）に於いて予備回線のチャネルｃｈ．２５を現用回線のチャネルｃｈ．１に切替えることによって、チャネル（Ｃ），（Ａ）間の通信を継続することができる。なお、ノード（Ｃ），（Ｄ）間及びノード（Ｄ），（Ａ）間は、ノード（Ａ），（Ｂ）間を通過しないので、それぞれチャネルｃｈ．１により通信が行われる。
【０００６】
図３２はＡＰＳプロトコルの説明図であり、ＷＫは現用回線、ＰＴは予備回線を示し、ノード（Ａ），（Ｂ）間に障害が発生して、アラームを検出したノード（Ａ）は、スイッチング・ノードとなり、対向局のノード（Ｂ）に対して、ショート・パス及びロング・パスの双方に伝送路障害を示すリクエスト（ＳＦ−ＲＩＮＧ；Ｓignal Ｆailure  Ｒing ）を送出する。ロング・パスのリクエストを受信したノード（Ｄ），（Ｃ）は、リクエストの宛先（Ｂ）を識別し、自ノード宛でないことを認識すると、フル・パス・スルーの状態となり、Ｋ１，Ｋ２バイト及び予備回線（プロテクション）チャネルを通過させる。
【０００７】
又ショート・パスのリクエストを受信したノード（Ｂ）もスイッチング・ノードとなり、ショート・パスにリバース・リクエスト（ＲＲ−ＲＩＮＧ；ＲeverseＲepuest  Ｒing ）を、又ロング・パスには、受信したリクエストと同じリクエスト（ＳＦ−ＲＩＮＧ）を送出する。伝送路障害の場合、ロング・パスからのリクエストを受信した段階で、ブリッジ及びスイッチを同時に行う。ブリッジは、同一のトラフィックを、現用，予備のチャネルに送出する状態を表し、スイッチは予備チャネルからのトラフッィクを選択する状態を表す。
【０００８】
従って、ノード（Ｂ），（Ａ）間の障害発生により、ノード（Ａ）では、ノード（Ｃ）への信号を予備回線ＰＴに送出するブリッジを形成し、この予備回線ＰＴは、ノード（Ｂ）に於いて、ノード（Ｂ）からノード（Ｃ）に向かう現用回線ＷＫに送出するスイッチを形成する。又ノード（Ｂ）では、ノード（Ｃ）からノード（Ａ）への現用回線ＷＫによる信号を、予備回線ＰＴに折返すブリッジを形成し、ノード（Ａ）ではこの予備回線ＰＴから現用回線に切替えるスイッチを行う。従って、ノード（Ａ），（Ｃ）間の通信が継続される。
【０００９】
図３３はヘッダ及びＫ１，Ｋ２バイトの説明図であり、９行×９０行のＳＴＭ−０（５２Ｍｂｐｓ）のフレーム構成と、９行×８５列のバーチャルコンテナのＶＣ−３とを示し、ＳＴＭ−０フレームの９行×３列のセクション・オーバー・ヘッドＳＯＨは、フレーム同期Ａ１，Ａ２と、ＳＴＭ−１識別番号Ｃ１と、誤り監視Ｂ１と、音声打合せＥ１と、故障特定Ｆ１と、データ通信Ｄ１〜Ｄ３と、ポインタ（ＡＵ  ＰＲＴ）Ｈ１〜Ｈ３と、誤り監視Ｂ２と、ＡＰＳ用Ｋ１，Ｋ２と、データ通信Ｄ４〜Ｄ１２と、予備Ｚ１，Ｚ２と、音声打合せＥ２との各バイトを含むものである。
【００１０】
又パス・オーバー・ヘッドＰＯＨは、パス導通監視Ｊ１と、パス誤り監視Ｂ３と、パス情報識別Ｃ２と、誤り通知Ｇ１と、保守用チャネルＦ２と、マルチフレーム番号の識別Ｈ４と、予備Ｚ３〜Ｚ５との各バイトを含むものであり、ＳＴＭ−０の９行×８７列のペイロードに、ＶＣ−３が多重化される。又ＳＴＭ−０の３多重化によりＳＴＭ−１（１５６Ｍｂｐｓ）が構成される。
【００１１】
又セクション・オーバー・ヘッドＳＯＨのＫ１バイトは、１〜４ビット目のリクエストと、５〜８ビット目の相手局ＩＤ（Ｋ１バイトの送り先ノードの識別番号）とからなり、又Ｋ２バイトは、１〜４ビット目の自局ＩＤ（リクエスト発生ノードの識別番号）と、５ビット目のショート・パス・リクエスト（“０”）かロング・パス・リクエスト（“１”）かを示すビットと、６〜８ビット目のステータスとからなるもので、Ｋ１バイトのリクエストは、“１０１１”で前述のＳＦ−ＲＩＮＧ、“０００１”で前述のＲＲ−ＲＩＮＧを表し、又“００００”でリクエスト無しを表す。又Ｋ２バイトのステータスは、“１１１”によりＡＩＳ；Ａlarm  Ｉndication Ｓignal ）を表す。又ＳＯＮＥＴのＳＴＳ−１信号（５２Ｍｂｐｓ）に於いても同様である。
【００１２】
図３４はスケルチ動作説明図であり、前述のように、ノード（Ａ），（Ｃ）間と、ノード（Ａ），（Ｄ）間と、ノード（Ｃ），（Ｄ）間とにそれぞれチャネルｃｈ．１で通信を行っている時に、各ノードのチャネルｃｈ．１対応のスケルチ・テーブルは、信号の送出方向毎に送信ノード（信号を挿入するノード）と受信ノード（信号をドロップするノード）とを格納しており、例えば、ノード（Ｃ）に於けるスケルチ・テーブルは、ノード（Ｂ）側へ送出する受信ノード（Ａ）と送信ノード（Ｃ）と、ノード（Ｄ）側へ送出する受信ノード（Ｄ）と送信ノード（Ｃ）とのノード識別番号を格納している。即ち、信号送出方向に従って送信ノードと受信ノードとの配列でノード識別番号を格納する。
【００１３】
ノード（Ａ），（Ｂ）間及びノード（Ａ），（Ｄ）間に障害が発生すると、ノード（Ａ）は孤立することになり、又ノード（Ｂ）に於いて、現用回線のチャネルｃｈ．１を予備回線のチャネルｃｈ．２５に折返し、又ノード（Ｄ）に於いても、ノード（Ａ）との間のチャネルｃｈ．１を、予備回線のチャネルｃｈ．２５により折返されたものとして接続すると、ノード（Ａ）の信号がノード（Ｄ）へ送信される誤接続が生じる。
【００１４】
そこで、伝送路障害検出によりスイッチング・ノードとなった（Ｂ），（Ｄ）のスケルチ・テーブルを基にリクエストを送出すると、ノード（Ａ）には到達しないから、ノード（Ｂ）では、ノード（Ａ）へ折返す予備回線のチャネルｃｈ．２５に、Ｓで示すスケルチ（パス警報表示信号；Ｐ−ＡＩＳ）を挿入し、又ノード（Ｄ）に於いても予備回線から切替えるノード（Ａ）との間の現用回線のチャネルｃｈ．１に、Ｓで示すスケルチ（パス警報表示信号；Ｐ−ＡＩＳ）を挿入する。このスケルチによって誤接続状態を回避することができる。
【００１５】
図３５は単一障害と複数障害との判定説明図であり、（ａ）はノード（Ｆ），（Ｅ）間に障害が発生し、ノード（Ｅ）が伝送路障害ＳＦ（Ｓignal Ｆail ）を検出すると、対向局のノード（Ｆ）に対して、ノード（Ｄ）側へＳＦ−Ｒ／Ｆ／Ｅ／Ｌｏｎｇで示すロング・パスのリクエスト（伝送路障害）を送出し、又ノード（Ｆ）側へＳＦ−Ｒ／Ｆ／Ｅ／Ｓｒｔ／ＲＤＩで示すショート・パスのリクエスト（伝送路障害）を送出する。ノード（Ｆ）は、対向局のノード（Ｅ）からのショート・パスとロング・パスとの自局宛のリクエストを受信できることにより、ノード（Ｆ），（Ｅ）間の単一障害と判定することができる。
【００１６】
又図３５の（ｂ）は、ノード（Ｂ），（Ｃ）間とノード（Ｆ），（Ｅ）間とに障害が発生し、ノード（Ｃ）が伝送路障害ＳＦを検出し、又ノード（Ｅ）が伝送路障害ＳＦを検出した場合、ノード（Ｃ）は、対向局のノード（Ｂ）に対してロング・パスとショート・パスとのリクエスト（伝送路障害）ＳＦ−Ｒ／Ｂ／Ｃ／Ｌｏｎｇ，ＳＦ−Ｒ／Ｂ／Ｃ／Ｓｒｔ／ＲＤＩを送出する。ショート・パスのリクエストＳＦ−Ｒ／Ｂ／Ｃ／Ｓｒｔ／ＲＤＩを受信したノード（Ｂ）は、ノード（Ｃ）にロング・パスのリクエストＳＦ−Ｒ／Ｃ／Ｂ／Ｌｏｎｇを送出する。
【００１７】
又伝送路障害ＳＦを検出したノード（Ｅ）は、（ａ）の場合と同様に、対向局のノード（Ｆ）に対してロング・パスとショート・パスとのリクエストＳＦ−Ｒ／Ｆ／Ｅ／Ｌｏｎｇ，ＳＦ−Ｒ／Ｆ／Ｅ／Ｓｒｔ／ＲＤＩを送出し、ノード（Ｆ）はショート・パスのリクエストＳＦ−Ｒ／Ｆ／Ｅ／Ｓｒｔ／ＲＤＩにより、ノード（Ｅ）に対してロング・パスのリクエストＳＦ−Ｒ／Ｅ／Ｆ／Ｌｏｎｇを送出する。
【００１８】
従って、ノード（Ｆ）は、ショート・パスのリクエストＳＦ−Ｒ／Ｆ／Ｅ／Ｓｒｔ／ＦＤＩが、ノード（Ｅ）から自局宛であるが、ロング・パスのリクエストＳＦ−Ｒ／Ｃ／Ｂ／Ｌｏｎｇは、自局宛ではなく、ノード（Ｂ）から他局のノード（Ｃ）宛であるから、ノード（Ｆ），（Ｅ）間と、ノード（Ｂ），（Ｃ）間との複数障害と判定することができる。
【００１９】
又ノード・ステータスは、アイドル・ステートと、スイッチング・ステートと、パス・スルー・ステートとに遷移するもので、通常の場合はアイドル・ステートである。又障害発生によりワーク・チャネル（現用回線チャネル）の信号をプロテクション・チャネル（予備回線チャネル）に切替えるブリッジと、プロテクション・チャネルをワーク・チャネルに戻すスイッチとの何れか又は両方を行うスイッチング・ステートのノードと、このスイッチング・ステートのノード間に位置するパス・スルー・ステートのノードとの何れかに遷移する。
【００２０】
又ＡＰＳ（自動保護切替）プロトコルは、障害発生点を挟むノード間で、障害が発生した側（ショート・パス）と反対側（ロング・パス）を用いて行われ、中間位置のノードはパス・スルー・ステートとなり、ＡＰＳプロトコルのモニタは行うが、ＡＰＳコードとしてのＫバイトの終端は行わない。そして、複数障害発生により正常な接続状態でなくなるチャネルに対してＰ−ＡＩＳを挿入するスケルチを実行するものである。
【００２１】
【発明が解決しようとする課題】
各ノードに設けるスケルチ・テーブルは、ノード間の通信チャネル設定時に、送信ノード（信号を挿入するノード）の識別番号と受信ノード（信号をドロップするノード）の識別番号とを用いてチャネル対応に形成するものである。このスケルチ・テーブルを用いて複数障害発生時にスケルチ挿入を行う制御を総てソフトウェアによって行う場合、チャネル対応に信号が到達できないノードを識別番号を基にスケルチ・テーブルの検索処理をプロセッサにより行うことになり、識別番号の照合，比較を逐一行うことになるから、スケルチ判定に要する時間が長くなる問題がある。
【００２２】
又光ファイバによる伝送路長１２００ｋｍ、ノード数１６のＢＬＳＲ方式のリング伝送システムに於いて、障害検出から障害救済の為のループバックや現用，予備切替えの切替完了まで、５０ｍｓ以下であることが要求されている。又複数障害の場合は、１００ｍｓ以下であることが要求されている。従って、障害検出後は高速で切替処理を実行することが必要となり、又複数障害時に、スケルチ処理が必要となるから、このスケルチ処理も高速化する必要がある。
【００２３】
そこで、スケルチ処理を総てハードウェアによって実行できる構成とすることが考えられる。しかし、スケルチ・テーブルは、チャネル対応と信号の送受信方向とに対応してノード識別番号を格納したものであるから、このスケルチ・テーブルと、複数障害により信号が到達できないノードの識別番号を照合，比較する回路構成は非常に複雑且つ大規模となり、実現は困難である問題がある。
本発明は、回路規模を増大することなく、双方向ライン・スイッチ・リング方式のリング伝送システムに於けるスケルチ処理の高速化を図ることを目的とする。
【００２４】
【課題を解決するための手段】
本発明のリング伝送システムのスケルチ方法は、（１）複数のノードをリング伝送路により接続した双方向ライン・スイッチ・リング方式のリング伝送システムのスケルチ方法であって、リング伝送路は、現用回線と予備回線とを含み、各ノードは、自ノードを基準として前記リング伝送路に接続された順番を示すモディファイド・ノード識別番号と各ノードの識別番号とを対応させて、該モディファイド・ノード識別番号による通信ノード間を示すモディファイド・スケルチ・テーブルと、該モディファイド・スケルチ・テーブルに格納された通信ノード間を示すモディファイド・ノード識別番号と障害発生による信号が到達しないノードのモディファイド・ノード識別番号との大小比較によりスケルチ判定を行うスケルチ判定部とを備え、各ノードは、正常時のアイドル状態と、障害発生時のパス・スルー状態及びイースト側とウエスト側とのスイッチング状態とを示すノード・ステータスを設定し、ノード・ステータスに応じて予備回線チャネルに対するスケルチ判定を行う過程を含むものである。
【００２５】
（２）又ノード・ステータスがパス・スルー状態を示す時、予備回線チャネルの総てのドロップ側に対してタイムスロット・アサイン前にスケルチを実行する過程を含むことができる。
【００２６】
（３）又ノード・ステータスがスイッチング状態を示す時、モディファイド・ノード識別番号によりモディファイド・スケルチ・テーブルを参照してスケルチ判定を行うと共に、予備回線チャネルの総てのドロップ側に対してタイムスロット・アサイン前にスケルチを実行し、且つ予備回線チャネルのノードの入力側及び出力側に対してスケルチを実行する過程を含むことができる。
【００２７】
（４）又複数のノードをリング伝送路により接続したＢＬＳＲ方式のリング伝送システムのスケルチ方法に於いて、障害発生によりスケルチを必要とする判定時に、未使用回線に対して強制的にスケルチを実行する過程を含むことができる。
【００２８】
（５）又スケルチ・テーブル又はモディファイド・スケルチ・テーブルの未使用回線チャネルに、自ノード識別番号又は自ノードのモディファイド・ノード識別番号を格納することができる。
【００２９】
（６）又各ノードは、主信号系ユニットに於けるスケルチ判定結果のうち、未使用回線チャネルに対する強制的なスケルチを除いて、制御系ユニットに通知する過程を含むことができる。
【００３０】
【発明の実施の形態】
図１の（ａ）に示すように、４個のノード（Ａ）〜（Ｄ）がリング伝送路ＲＬにより接続されたリング伝送システムに於いて、各ノードに識別番号を付与する。例えば、ノード（Ａ）のＩＤ＝１５、ノード（Ｂ）のＩＤ＝３、ノード（Ｃ）のＩＤ＝７、ノード（Ｄ）のＩＤ＝８として付与する。次に、図１の（ｂ）に示すように、リング・トポロジー（リング・マップ）構築指示を出したノード、例えば、ノード（Ａ）は、▲１▼挿入ノード数を１とし、自ノードのＩＤを１番目として付加したリング・トポロジー・フレームを例えば時計回りに送出する。ノード（Ｂ）は、▲２▼挿入ノード数を２とし、ノード（Ａ）のＩＤの次に自ノードのＩＤを挿入して送出する。ノード（Ｃ）は、▲３▼挿入ノード数を３とし、ノード（Ｂ）のＩＤの次に自ノードＩＤを挿入して送出する。ノード（Ｄ）は、▲４▼挿入ノード数を４とし、ノード（Ｃ）のＩＤの次に自ノードのＩＤを挿入して送出する。
【００３１】
ノード（Ａ）は、挿入ノードＩＤの１番目が自ノードＩＤであることから、一巡したことを識別し、図１の（ｃ）に示すように、リング・トポロジー・フレームの最後尾にＥＮＤフラグを付加して送出し、各ノードに完成したリング・トポロジー・フレームを通知する▲５▼〜▲７▼。このリング・トポロジー・フレームを受信した各ノードは、自ノードを先頭としたリング・トポロジーを構築する。例えば、ノード（Ａ）では、「１５，３，７，８」となり、ノード（Ｂ）では、「３，７，８，１５」、ノード（Ｃ）では、「７，８，１５，３」、ノード（Ｄ）では、「８，１５，３，７」となる。
【００３２】
前述のリング・トポロジー構築により、前述のＡＰＳプロトコルによるＫ１，Ｋ２バイトで自ノードＩＤと目的ノードＩＤとを送出することが容易となる。又このリング・トポロジーを基にスケルチ・テーブルが形成される。
【００３３】
図２及び図３はスケルチ・テーブル形成の説明図であり、各ノード（Ａ）〜（Ｄ）はそれぞれスケルチ・テーブルを有し、ノードのＩＤを格納するものであるが、簡略化の為にノード（Ａ）〜（Ｄ）と同一の符号を用いて説明する。例えば、ノード（Ｃ），（Ｄ）間で、ノード（Ｂ），（Ａ）を介して信号を送受信する場合、図２の（ａ）の▲１▼のように、ノード（Ｃ）は、図示のチャネル対応のテーブル要部に自ノードＩＤ「Ｃ」を挿入してノード（Ｂ）側へ送出し、端局がノード（Ｃ）であることを通知し、又ノード（Ｄ）も図示のチャネル対応のテーブル要部に自ノードＩＤ「Ｄ」を挿入してノード（Ａ）へ送出し、端局がノード（Ｄ）であることを通知する。その場合の＊印及び☆印は相手先不明としていることを示す。
【００３４】
そして、図２の（ｂ）の▲２▼に示すように、ノード（Ｂ）には、ノード（Ｄ）からノード（Ａ）を介して、ノード（Ａ）側の端局がノード（Ｄ）であることを通知し、又ノード（Ａ）には、ノード（Ｃ）からノード（Ｂ）を介して、ノード（Ｂ）側の端局がノード（Ｃ）であることを通知する。
【００３５】
次に、図３の（ａ）の▲３▼に示すように、ノード（Ｂ）を介してノード（Ｃ）に端局がノード（Ｄ）であることを通知し、又ノード（Ａ）を介してノード（Ｄ）に端局がノード（Ｃ）であることを通知する。それによって、ノード（Ｃ）のスケルチ・テーブルには、自ノードＩＤ「Ｃ」と対向局のノードＩＤ「Ｄ」とが設定され、又ノード（Ｄ）のスケルチ・テーブルには、自ノードＩＤ「Ｄ」と対向局のノードＩＤ「Ｃ」とが設定される。
【００３６】
次に図３の（ｂ）の▲４▼に示すように、ノード（Ｃ），（Ｄ）の完成したスケルチ・テーブルを基に、ノード（Ｃ）からはノード（Ｂ）に、相手先不明＊がノード（Ｄ）のＩＤ「Ｄ」であることを通知し、又ノード（Ｄ）からはノード（Ａ）に、相手先不明☆がノード（Ｃ）のＩＤ「Ｃ」であることを通知し、又▲５▼に示すように、ノード（Ｂ）からノード（Ａ）へ相手先不明＊がノード（Ｄ）のＩＤ「Ｄ」であることを通知し、又ノード（Ａ）からはノード（Ｂ）に、相手先不明☆がノード（Ｃ）のＩＤ「Ｃ」であることを通知する。それによって、ノード（Ａ），（Ｂ）に於いても、ノード（Ｃ），（Ｄ）間のチャネルに対応したスケルチ・テーブルが完成する。又スケルチ・テーブルの更新の場合も同様にして実行することができる。なお、障害発生時は、スケルチ・テーブルの更新を禁止するように制御する。
【００３７】
図４は本発明の実施例のモディファイド・スケルチ・テーブルの説明図であり、ノード（Ａ）〜（Ｆ）がリング伝送路ＲＬにより接続されたシステムに於いて、それぞれの識別番号ＩＤが、５，１１，９，７，１，３として付与されている場合、ノード（Ｄ）に於けるリング・トポロジー〔Ｄ〕は、「７，１，３，５，１１，９」となり、又ノード（Ｅ）に於けるリング・トポロジー〔Ｅ〕は、「１，３，５，１１，６，７」となる。
【００３８】
スケルチ・テーブルは、自ノードのイースト（ＥＡＳＴ）側とウエスト（ＷＥＳＴ）側とについて、信号の伝送方向（ＤＩＲＥＣ）毎に、その伝送方向がＥ→Ｗの場合、左側が送信ノード（信号を挿入するソースノード）、右側が受信ノード（信号をドロップするディステネーションノード）となるように格納し、伝送方向がＥ←Ｗの場合、右側が送信ノード、左側が受信ノードとなるように格納する。なお、１本の光ファイバ伝送路を、現用回線チャネルｃｈ．１〜ｃｈ．２４、予備回線チャネルｃｈ．２５〜ｃｈ．４８とした場合、障害発生時にループバックによって救済されるチャネルは、現用回線のチャネルｃｈ．１〜ｃｈ．２４のみであるから、スケルチ・テーブルもチャネルｃｈ．１〜ｃｈ．２４に対して形成することができる。
【００３９】
前述のノード（Ｅ）のスケルチ・テーブル〔Ｅ〕は、左下に示すように、イースト（ＥＡＳＴ）側、即ち、ノード（Ｆ）側のＥ→Ｗの伝送方向の場合の送信ノードは、ＩＤ＝３、受信ノードは、ＩＤ＝７であり、又ウエスト（ＷＥＳＴ）側、即ち、ノード（Ｄ）側のＥ→Ｗの伝送方向の場合の送信ノードは、ＩＤ＝３、受信ノードは、ＩＤ＝７であることが判る。なお、３F ，７D は、ノード（Ｆ），（Ｄ）のノードＩＤが３，７であることを示している。
【００４０】
又ノード（Ｄ）のスケルチ・テーブル〔Ｄ〕は、左上に示すように、イースト（ＥＡＳＴ）側、即ち、ノード（Ｅ）側のＥ→Ｗの伝送方向の場合の送信ノードは、ＩＤ＝３、受信ノードは、ＩＤ＝７で、自ノードであることが判る。又ウエスト（ＷＥＳＴ）側、即ち、ノード（Ｃ）側は、送受信しないので、自ノードのＩＤ＝７を送信ノード及び受信ノードのＩＤとして格納する。又Ｅ←Ｗの伝送方向についても同様にノードのＩＤを格納する。
【００４１】
例えば、ノード（Ａ），（Ｆ）間とノード（Ｄ），（Ｅ）間とに障害が発生した場合、ノード（Ｅ）は、ノード（Ｄ）との間の伝送路障害によるウエスト（ＷＥＳＴ）側ループバックと、自ノードＩＤ＝１、ノード（Ｆ）からのロング・パスのリクエストによるノード（Ｆ）のＩＤ＝３との条件と、リング・トポロジーとにより、ＩＤが５，１１，９，７のノードに信号が到達しないことが判る。そこで、スケルチ判定の為に、スケルチ・テーブル〔Ｅ〕の送信ノードと受信ノードとのＩＤとを比較する。この場合、ＩＤ＝７は、信号が到達しないノードであるからスケルチを実行する。
【００４２】
前述のように、複数障害によって信号が到達しないノードが発生した時、そのノードのＩＤと、スケルチ・テーブルに格納された送信ノードと受信ノードとのＩＤとを照合する必要があり、複数のチャネル対応に照合を実行してスケルチの必要の有無を判定することになり、スケルチ判定の処理量が多いものであった。そこで、本発明に於いては、モディファイド・スケルチ・テーブルを形成するものである。
【００４３】
前述のリング・トポロジーは、自ノードのＩＤを先頭に、リング伝送路の接続順に各ノードのＩＤを順番に格納したものであり、ノード（Ｄ），（Ｅ）は、図４のリング・トポロジー〔Ｄ〕，〔Ｅ〕に示すものとなる。そこで、自ノードを０とし、順次昇順に番号を割当てる。従って、ノード（Ｅ）のリング・トポロジー〔Ｅ〕は、各ノードのＩＤにより、前述のように、「１，３，５，１１，９，７」であるが、モディファイド・ノードＩＤ（Ｍｄ，ＩＤ）は、「０，１，２，３，４，５」となる。同様に、ノード（Ｄ）のリング・トポロジー〔Ｄ〕は、各ノードのＩＤにより「７，１，３，５，１１，９」であるが、モデファイドＩＤ（Ｍｄ，ＩＤ）は、「０，１，２，３，４，５」となる。
【００４４】
このモデファイド・ノードＩＤを用いてスケルチ・テーブルからモデファイド・スケルチ・テーブルを形成する。従って、ノード（Ｄ）のモディファイド・スケルチ・テーブル〔Ｄ〕は、右上に示すように、イースト（ＥＡＳＴ）側のＥ→Ｗの伝送方向の送信ノードは、モディファイド・ノードＩＤ＝２（ノードＩＤ＝３）、受信ノードは、モディファイド・ノードＩＤ＝０（ノードＩＤ＝７；自ノード）となる。同様に、ノード（Ｅ）のモディファイド・スケルチ・テーブル〔Ｅ〕は、右下に示すように、イースト（ＥＡＳＴ）側のＥ→Ｗの伝送方向の送信ノードは、モディファイド・ノードＩＤ＝１（ノードＩＤ＝３）、受信ノードは、モディファイド・ノードＩＤ＝５（ノードＩＤ＝７）となる。
【００４５】
そして、前述のように、ノード（Ｄ），（Ｆ）間及びノード（Ａ），（Ｆ）間に障害が発生した場合、ノード（Ｅ）に於いては、信号が到達しないノードは、前述の場合、ノードＩＤが、５，１１，９，７であることが判るものであるが、モディファイド・ノードＩＤによれば、２〜５のノードに信号が到達しないことが判る。即ち、Ｍｄ，ＩＤ≧２のノードであることが判る。従って、モディファイド・スケルチ・テーブル〔Ｅ〕に於けるＭｄ，ＩＤ≧２のノードに対してスケルチを実行することになる。これは、モディファイド・ノードＩＤの大小比較によりスケルチ判定が可能であることを示すもので、簡単な比較回路によってスケルチ判定を高速で実行することができる。
【００４６】
図５はノードのユニット構成の説明図であり、ＰＷは電源ユニット、ＳＶは監視ユニット、ＭＰは制御系ユニット、ＨＳは切替系ユニット、ＨＲ（１），ＨＲ（２）は受信インタフェース・ユニット、ＨＭ（１），ＨＭ（２）は主信号系ユニット、ＨＴ（１），ＨＴ（２）は送信インタフェース・ユニットである。例えば、受信インタフェース・ユニットＨＲ（１）はイースト（ＥＡＳＴ）側からの信号を受信し、受信インタフェース・ユニットＨＲ（２）はウエスト（ＷＥＳＴ）側からの信号を受信し、送信インタフェース・ユニットＨＴ（１）はウエスト（ＷＥＳＴ）側へ送信し、送信インタフェース・ユニットＨＴ（２）はイースト（ＥＡＳＴ）側へ送信する。伝送路を光ファイバにより構成した場合は、光電変換及び電光変換の機能を含むものである。又主信号系ユニットＨＭ（１）を現用系（ＷＯＲＫ）とすると、主信号系ユニットＨＭ（２）は予備系（ＰＴＣＴ）となる。
【００４７】
図６は障害発生時のノードの切替動作説明図であり、図５に示す受信インタフェース・ユニットＨＲ（１），ＨＲ（２）と、主信号系ユニットＨＭ（１），ＨＭ（２）と、送信インタフェース・ユニットＨＴ（１），ＨＴ（２）とによる切替えを示す。又主信号系ユニットＨＭ（１），ＨＭ（２）は同一の構成を有し、１１はポインタ処理部、１２はリングスイッチ部、１３はスイッチ・スケルチ部、１４は分離タイムスロット・アサイン部（ＤＲＯＰ  ＴＳＡ）、１５は挿入タイムスロット・アサイン部（ＡＤＤ  ＴＳＡ）、１６はブリッジ・スケルチ部、１７はリング・ブリッジ部である。
【００４８】
又２本の伝送路により各ノード間を接続し、各伝送路は４８チャネルを有し、その４８チャネルのうち、チャネルｃｈ．１〜ｃｈ．２４を現用回線（ＷＫ）（ワーク・チャネル）とし、チャネルｃｈ．２５〜ｃｈ．４８を予備回線（ＰＴ）（プロテクション・チャネル）とする。又ポインタ処理部１１は、例えば、セクション・オーバー・ヘッドＳＯＨのＨ１〜Ｈ３バイトによるポインタによって多重化された信号の先頭位置を識別して、各部を制御する。
【００４９】
例えば、ノードのイースト（ＥＡＳＴ）側に障害が発生し、受信インタフェース・ユニットＨＲ（１）と送信インタフェース・ユニットＨＴ（２）とが×印で示すように使用できない時、主信号系ユニットＨＭ（１）のリングスイッチ部１２により、ウエスト（ＷＥＳＴ）側の予備回線のチャネルｃｈ．２４〜ｃｈ．４８を、イースト（ＥＡＳＴ）側の現用回線のチャネルｃｈ．１〜ｃｈ．２４にスイッチし、リングブリッジ部１７により、チャネルｃｈ．１〜ｃｈ．２４はウエスト（ＷＥＳＴ）側のチャネルｃｈ．２５〜ｃｈ．４８にブリッジする。
【００５０】
従って、予備回線のチャネルｃｈ．２４〜ｃｈ．４８により折返されてウエスト（ＷＥＳＴ）側から受信した自ノード宛の信号を分離タイムスロット・アサイン部１４に於いてドロップすることができる。又挿入タイムスロット・アサイン部１５に於いて現用回線のチャネルｃｈ．１〜ｃｈ．２４に挿入した信号は、ウエスト（ＷＥＳＴ）側から予備回線のチャネルｃｈ．２５〜ｃｈ．４８により送出される。
【００５１】
又ウエスト（ＷＥＳＴ）側の現用回線のチャネルｃｈ．１〜ｃｈ．２４をリング・ブリッジ部１７に於いて予備回線のチャネルｃｈ．２５〜ｃｈ．４８にブリッジし、ウエスト（ＷＥＳＴ）側の予備回線のチャネルｃｈ．２５〜ｃｈ．４８をリングスイッチ部１２に於いて現用回線のチャネルｃｈ．１〜ｃｈ．２４にスイッチし、ウエスト（ＷＥＳＴ）側からの信号を、ウエスト（ＷＥＳＴ）側へ折返すループバックを形成することができる。
【００５２】
スイッチ・スケルチ部１３及びリング・スケルチ部１６は、前述のように、複数障害発生により信号が到達できない時に、モデファイド・スケルチ・テーブルを参照して、Ｐ−ＡＩＳを挿入するスケルチを実行するものである。
【００５３】
図７はノード制御機能ブロック図であり、監視ユニットＳＶと、制御系ユニットＭＰと、切替系ユニットＨＳと、主信号系ユニットＨＭと、受信インタフェース・ユニットＨＲと、送信インタフェース・ユニットＨＴとについて示す。制御系ユニットＭＰは、図１について説明したような手段によってリング・トポロジーを構築し、又図２及び図３について説明したような手段によってスケルチ・テーブルを形成する。又主信号系ユニットＨＭは、ライン・スイッチと、スケルチ判定部と、スケルチ実行部と、モディファイド・スケルチ・テーブルとを含み、ライン・スイッチは、切替系ユニットＨＳのスイッチ・リクエストに従って切替えが行われる。
【００５４】
制御系ユニットＭＰは、リング・トポロジーとスケルチ・テーブルとを管理し、リング・トポロジーが構築されていない時に切替系ユニットＨＳにディフォルトＡＰＳを要求し、又構築されたリング・トポロジーを切替系ユニットＨＳに渡す。又監視ユニットＳＶからの強制スイッチ，マニュアルスイッチ，試験スイッチ等のリクエストを切替系ユニットＨＳに渡す。
【００５５】
切替系ユニットＨＳは、受信インタフェース・ユニットＨＲによる受信信号を監視し、伝送路障害ＳＦ又は信号品質劣化ＳＤを検出した時、又は主信号系ユニットＨＭを両系共に抜き取った場合等の両系障害ＨＭ−ＡＬＭ１＆２を検出した時に、これらを切替トリガとしてＡＰＳプロトコルを実行し、その結果によるスイッチ・リクエストを主信号系ユニットＨＭに送出する。又主信号系ユニットＨＭの両系障害の場合に、Ｋ２バイトの６〜８ビット目のステータスを、“１００”として他のノードに通知する。
【００５６】
主信号系ユニットＨＭは、切替系ユニットＨＳからのスイッチ・リクエストにより、制御系ユニットＭＰのスケルチ・テーブルを基に形成したモディファイド・スケルチ・テーブルを参照して、スケルチ判定部はスケルチが必要か否かを判定し、スケルチ実行部により所定のチャネルにＰ−ＡＩＳを挿入するスケルチを実行する。又主信号系ユニットＨＭは、ライン・スイッチによる切替処理及びスケルチ判定結果と実行結果とを制御系ユニットＭＰに通知する。なお、障害発生時に、スケルチ・テーブルの更新が禁止されるから、スケルチ・テーブルの内容とタイムスロット・アサインとの関係が一致する保証がないことになる。そこで、未使用回線（ＵＮＥＱ）に対してもスケルチを実行し、そのスケルチについては制御系ユニットＭＰには通知しない。又イースト側とウエスト側との両側の障害によって孤立状態となったノード、又は単一障害の場合、又は自ノードがスイッチング・ノードでない場合は、スケルチは実行しない。
【００５７】
図８はスケルチ判定の説明図であり、（ａ）は、図４に示すシステムと同様のノード識別番号ＩＤが付与された６個のノード（Ａ）〜（Ｆ）がリング伝送路により接続されたシステムを示し、ノード（Ｄ），（Ｆ）間で信号を送受信している時に、ノード（Ａ），（Ｆ）間及びノード（Ｄ），（Ｅ）間に障害が発生した場合、ノード（Ｄ）は伝送路障害ＳＦ検出によりイースト（ＥＡＳＴ）側にループバックを形成する。
【００５８】
この場合のリング・トポロジー〔Ｄ〕は、図８の（ｂ）に示すように、「７，１，３，５，１１，９」であり、ノード（Ｆ）との間の信号の送受信する場合のモディファイド・スケルチ・テーブルは、ノードＩＤ＝３のノード（Ｆ）のモディファイド・ノードＩＤ＝２であるから、図８の（ｃ）に示すように、イースト（ＥＡＳＴ）側のＥ→Ｗ方向及びＥ←Ｗ方向は、「２，０」となる。即ち、２〔Ｆ〕−０〔Ｄ〕間のパスが形成されていることになる。
【００５９】
切替系ユニットＨＳ（図７参照）に於けるＡＰＳプロトコルの実行により、信号が到達するノード、即ち、ファーエンド・ノードＩＤ＝５のノード（Ａ）を識別できるから、このノード（Ａ）のモディファイド・ノードＩＤ＝３に変換して主信号系ユニットＨＭへ通知する。即ち、図８の（ｄ）に示すように、“００１１”によるノード（Ａ）のモデファイド・ファーエンド・ノードＩＤ（ＦＥＩＤ＝３〔Ａ〕）と、“１０”によりイースト（ＥＡＳＴ）側スイッチであるノードステータスＳＴと、“１”によりブリッジ状態Ｂｒと、“１”によりスイッチ状態Ｓｗとを通知する。なお、ノードステータスＳＴは、“００”＝アイドル状態、“０１”＝パス・スルー状態、“１０”＝イースト側スイッチング状態、“１１”＝ウエスト側スイッチング状態を表す。又単一障害の場合のファーエンド・ノードＩＤは、自ノードを示す“０００”とする。
【００６０】
前述のように、ノード（Ｄ）に於いては、イースト（ＥＡＳＴ）側障害の為に、イースト（ＥＡＳＴ）側から信号が到達しない。即ち、図８の（ｅ）に示すリング・トポロジー〔Ｄ〕に於いて、モディファイド・ノードＩＤ＝１以上のノードからの信号が到達しない。又ウエスト（ＷＥＳＴ）側のファーエンド・ノード（Ａ）がウエスト（ＷＥＳＴ）側からの信号が到達する限界のノードである。即ち、図８の（ｆ）に示すリング・トポロジー〔Ｄ〕に於いて、モディファイド・ノードＩＤ＝２以下のノードからの信号が到達しない。従って、図８の（ｂ）に示すリング・トポロジー〔Ｄ〕に於いて、信号が到達しないノードは、モディファイド・ノードＩＤ＝１，２であることが判る。
【００６１】
この場合、モディファイド・ノードＩＤが２以下のノードに信号が到達しないことが判るから、モディファイド・スケルチ・テーブルを参照して、信号が到達しないノードがあれば、即ち、２以下のモディファイド・ノードＩＤがあればスケルチが必要と判定することができるから、図８の（ｃ）に示すモディファイド・スケルチ・テーブルに於いては、２以下のモディファイド・ノードＩＤがあり、このチャネルに対してスケルチを実行することになる。
【００６２】
図９はスケルチ判定の説明図で、（ａ）は図８の（ａ）と同一のシステムを示す。又ノード（Ｅ）に於けるリング・トポロジー〔Ｅ〕は、図９の（ｂ）に示すように、「１，３，５，１１，９，７」となり、ノード（Ｆ），（Ｄ）間は、モディファイド・ノードＩＤ＝１，５間の通信となるから、１〔Ｆ〕−５〔Ｄ〕間のパスが形成されていることになる。従って、図９の（ｃ）に示すように、モディファイド・スケルチ・テーブル〔Ｅ〕は、ウエスト（ＷＥＳＴ）側について「１，５」となる。
【００６３】
又ノード（Ａ），（Ｆ）間及びノード（Ｅ），（Ｄ）間の障害によるＡＰＳプロトコルの実行によって、切替系ユニットＨＳから主信号系ユニットＨＭには、図９の（ｄ）に示すように、ファーエンド・ノード（Ｆ）のＩＤをモディファイド・ノードＩＤに変換した“０００１”（ＦＥＩＤ＝１〔Ｆ〕）と、ウエスト側スイッチ状態を示す“１１”のノード・ステータスＳＴと、“１”のブリッジ状態Ｂｒと、“１”のスイッチ状態Ｓｗとを通知する。
【００６４】
又ウエスト側障害であるから、図９の（ｅ）に示すリング・トポロジー〔Ｅ〕に於いてウエスト側（右側）から信号が到達しない。又図９の（ｆ）示すリング・トポロジー〔Ｅ〕に於いて、ファーエンド・ノードは、ノード（Ｆ）であり、このモディファイド・ノードＩＤ＝１を超えた値のモディファイド・ノードＩＤのノードには信号が到達しない。
【００６５】
従って、図９の（ｂ）のリング・トポロジー〔Ｅ〕に示すように、モディファイド・ノードＩＤ＝２以上のノードに信号が到達しないことが判るから、モディファイド・スケルチ・テーブル〔Ｅ〕に２以上のモディファイド・ノードＩＤがあれば、スケルチが必要と判定する。この場合、モディファイドＩＤ＝５のノード（Ｄ）が存在するから、そのチャネルにスケルチを実行することになる。
【００６６】
図１０はスケルチ処理の説明図であり、図８の（ａ）と同一の状態に於けるスケルチ処理について示し、Ｓはスイッチ側スケルチ、Ｂはブリッジ側スケルチ、点線は予備回線を示す。ノード（Ａ），（Ｄ），（Ｅ），（Ｆ）はそれぞれ伝送路障害ＳＦを検出することになるから、スイッチング・ノードとなる。
【００６７】
又ノード（Ｄ）のモディファイド・スケルチ・テーブル〔Ｄ〕の例えばチャネルｃｈ．１の伝送方向ＤＩＲＥＣについて示し、イースト（ＥＡＳＴ）側のＥ→Ｗ方向の送信ノードはモディファイド・ノードＩＤ＝２のノード（Ｆ）、受信ノードは自ノード（Ｄ）であり、又Ｅ←Ｗ方向の送信ノードは自ノード（Ｄ）、受信ノードはモディファイド・ノードＩＤ＝２のノード（Ｆ）であり、イースト（ＥＡＳＴ）側障害により、Ｅ→Ｗ方向はスイッチＳｗ、Ｅ←Ｗ方向はブリッジＢｒとし、ウエスト（ＷＥＳＴ）側のＥ→Ｗ方向はブリッジＢｒ、Ｅ←Ｗ方向はスイッチＳｗとした場合を示す。
【００６８】
例えば、ノード（Ｄ）に於いては、モディファイド・スケルチ・テーブル〔Ｄ〕を参照して、チャネルｃｈ．１のモディファイド・ノードＩＤ＝２のノード（Ｆ）には信号が到達しないから、スケルチを実行する。又ノード（Ｅ）に於いても、同様に、モディファイド・スケルチ・テーブルを参照して、信号が到達しないノード（Ｄ）に対するチャネルｃｈ．１についてスケルチを実行する。
【００６９】
図１１，図１２はイースト側スケルチ判定部の説明図であり、図１１は、例えば、ノード（Ｅ）のイースト（ＥＡＳＴ）側のブリッジ、図１２はイースト（ＥＡＳＴ）側のスイッチの場合を示し、２１，２２，４１，４２はアンド回路（＆）、２３，４３はＦＥＩＤ＝０でない時に“１”を出力するゲート回路、２４，４４はインバータであり、チャネル共通部を構成する。
【００７０】
又２５，２６，４５，４６は比較器（ＣＯＭＰ）、２７，２８，４７，４８は送信ノード又は受信ノードのモディファイド・ノードＩＤが０でない時に“１”を出力するゲート回路、２９は送信ノードと受信ノードとのモディファイド・ノードＩＤが共に０（自ノード）の時に“１”を出力するゲート回路（ＡＬＬ０）、３０，３１，３３，５０，５１，５３はアンド回路（＆）、３２，５２はオア回路（ＯＲ）、３４，５４はレジスタであり、チャネル対応部を構成する。又チャネルｃｈ．１〜ｃｈ．２４を現用回線、チャネルｃｈ．２５〜ｃｈ．４８を予備回線ととする。
【００７１】
又モディファイド・ノードＩＤによるリング・トポロジー〔Ｅ〕を基にしたファーエンド・ノードＩＤ＝４の場合、切替系ユニットＨＳから主信号系ユニットＨＰへの制御情報は“０１００１０１１”となる。即ち、ＦＥＩＤ（ファーエンド・モディファイド・ノード識別番号）＝“０１００”、イースト側スイッチを示すノード・ステータスＳＴ＝“１０”、ブリッジ状態を示すＢｒ＝“１”、スイッチ状態を示すＳｗ＝“１”となる。
【００７２】
又モディファイド・スケルチ・テーブル〔Ｅ〕は、前述のように、ノード（Ｅ）のイースト（ＥＡＳＴ）側と、ウエスト（ＷＥＳＴ）側と、伝送方向ＤＩＲＥＣ（Ｅ→Ｗ，Ｅ←Ｗ）とに対応して、スイッチ状態Ｓｗと、ブリッジ状態Ｂｒと、モディファイド・ノードＩＤによる送信ノードＳＲＣ（ソース・ノード）と、受信ノードＤＥＳＴ（ディステネーション・ノード）とが格納されている。
【００７３】
図１１に於けるチャネル共通部に於いては、ファーエンド・ノードＩＤ（ＦＥＩＤ）が▲１▼として出力され、又ノード・ステータスＳＴの“１０”の先頭の“１”がアンド回路２２に入力され、次の“０”がゲート回路２３により“１”に反転されてアンド回路２１に入力される。又ブリッジ状態Ｂｒの“１”がアンド回路２１に入力される。この場合の出力▲３▼は“１”となり、イースト・ブリッジＥＡＳＴ／Ｂｒを示すものとなる。又ゲート回路２３の出力は、ＦＥＩＤ≠０であるから“１”となり、アンド回路２１の出力▲２▼は“１”となる。又図１２に於けるチャネル共通部のアンド回路４２には、“１”のスイッチ状態Ｓｗが入力されることになり、この場合の各出力▲１▼〜▲３▼は、図１１のチャネル共通部の各出力▲１▼〜▲３▼と同一となる。
【００７４】
又チャネル対応部に於いては、比較器２５，４５によりＦＥＩＤと、イースト（ＥＡＳＴ）側の送信ノードのモディファイド・ノードＩＤ（Ｅａｓｔ  ＳＲＣＢｒ，Ｅａｓｔ  ＳＲＣ  Ｓｗ）とを比較し、比較器２６，４６によりＦＥＩＤと、イースト（ＥＡＳＴ）側の受信ノードのモディファイド・ノードＩＤ（Ｅａｓｔ  ＤＥＳＴ  Ｂｒ，Ｅａｓｔ  ＤＥＳＴ  Ｓｗ）とを比較し、Ｂ＜Ａの場合に出力を“１”とする。即ち、ＦＥＩＤより小さいモディファイド・ノードＩＤの場合に“１”を出力する。
【００７５】
又送信ノード及び受信ノードのモディファイド・ノードＩＤが０でない時、即ち、自ノードを示すものではない時に、ゲート回路２７，２８，４７，４８の出力が“１”となり、比較器２５，２６，４５，４６の出力が“１”であれば、アンド回路３０，３１，５０，５１の出力が“１”となり、オア回路３２，５２を介してアンド回路３３，５３に入力され、チャネル共通部のアンド回路２１，４１の出力▲２▼が“１”であると、アンド回路３３，５３の出力が“１”となり、レジスタ３４，５４にセットされ、スケルチ決定チャネルを表示することになる。又送信ノードと受信ノードとのモディファイド・ノードＩＤが共に０の場合は、ゲート回路２９の出力が“１”となり、この場合は未使用回線を示し、このチャネル対応部のレジスタ３４にアンド回路３３の“１”の出力がセットされ、未使用チャネルに対するスケルチ決定を表示することになる。
【００７６】
図１３，図１４はウエスト側スケルチ判定部の説明図であり、図１３は、例えば、ノード（Ｅ）のウエスト（ＷＥＳＴ）側のブリッジ、図１４はウエスト（ＷＥＳＴ）側のスイッチの場合を示し、６１，６２，７１，７２はアンド回路（＆）、６３，７３はＦＥＩＤ＝０でない時に“１”を出力するゲート回路であり、チャネル共通部を構成する。
【００７７】
又６４，７４はスケルチ決定チャネルを表すレジスタである。又６５，６６，７５，７６は比較器（ＣＯＭＰ）、６７，７７はオア回路（ＯＲ）、６８，７８はアンド回路（＆）、６９は送信ノードと受信ノードとのモディファイド・ノードＩＤが共に０の時に“１”を出力するゲート回路（ＡＬＬ０）であり、チャネル対応部を構成する。
【００７８】
又モディファイド・ノードＩＤによるリング・トポロジー〔Ｅ〕を基にしたファーエンド・ノードＩＤ＝４の場合、切替系ユニットＨＳから主信号系ユニットＨＰへの制御情報は“０１００１１１１”となる。即ち、ＦＥＩＤ（ファーエンド・モディファイド・ノード識別番号）＝“０１００”、ウエスト側スイッチを示すノード・ステータスＳＴ＝“１１”、ブリッジ状態を示すＢｒ＝“１”、スイッチ状態を示すＳｗ＝“１”となる。
【００７９】
この場合のチャネル共通部の出力▲１▼はＦＥＩＤであり、又出力▲２▼，▲３▼は“１”となる。又チャネル対応部の比較器６５，６６，７５，７６は、図１１，図１２のチャネル対応部の比較器とは反対に、ＦＥＩＤより大きい値のモディファイド・ノードＩＤの送信ノード又は受信ノードの場合に、出力を“１”とするものである。又チャネル共通部の出力▲２▼が“１”の時に、比較器６５，６６，７５，７６の出力が“１”であれば、アンド回路６８，７８の出力が“１”となってレジスタ６４，７４にセットされ、スケルチ決定のチャネルを表示することになる。又ゲート回路６９によりブリッジ側の未使用回線を識別して、スケルチを実行することを表示する。
【００８０】
図１５はスケルチ挿入点の説明図であり、主信号系ユニットＨＭのタイムスロット・アサイン部の要部を示し、（ＷＥＳＴ）はウエスト側、（ＥＡＳＴ）はイースト側を示し、又８０はセレクタ（Ｅ／ＷＳＥＬ）、８１〜８４はウエスト側又はイースト側タイムスロット・アサイン部（ＴＳＡ）、８５，８６は挿入部（ＩＮＳ）、８７〜９０はスケルチ部（ＳＱBr，ＳＱSw）、９１，９２は警報表示信号部（ＡＩＳ）、９３，９４はスイッチ部（Ｓ）、９５，９６はブリッジ部（Ｂ）である。又実線は現用回線（ｃｈ．１〜ｃｈ．２４）、点線は予備回線（ｃｈ．２５〜ｃｈ．４８）を示す。
【００８１】
セレクタ８０を介してイースト側又はウエスト側タイムスロット・アサイン部８２，８３によりドロップされた信号は、セレクタ８０を介して送出され、又挿入する信号はイースト側及びウエスト側タイムスロット・アサイン部８１，８４に入力される。又、例えば、ノードのウエスト（ＷＥＳＴ）側ブリッジはブリッジ部９６により行われ、その場合のブリッジ・スケルチはスケルチ部８７によるＰ−ＡＩＳの挿入により実行される。又イースト（ＥＡＳＴ）側スイッチは、スイッチ部９３により行われ、その場合のスイッチ・スケルチはスケルチ部８８によるＰ−ＡＩＳの挿入により実行される。
【００８２】
図１６はイースト側ループバック時の信号の流れ説明図であり、図１５と同一符号は同一部分を示し、ノードのウエスト（ＷＥＳＴ）側の障害発生により、そのウエスト（ＷＥＳＴ）側でループバックした場合を示す。即ち、受信イースト（ＥＡＳＴ）側の現用回線のチャネルｃｈ．１〜ｃｈ．２４は、挿入部８５とブリッジ部９６とが制御されて、符号で示すと、９３→８８→８５→８７→９６の経路で、送信イースト（ＥＡＳＴ）側の予備回線のチャネルｃｈ．２５〜ｃｈ．４８にループバックされ、スケルチ判定により、スケルチ部８７によりスケルチ判定チャネルに対してＰ−ＡＩＳ挿入が行われる。
【００８３】
又受信イースト（ＥＡＳＴ）側の予備回線のチャネルｃｈ．２５〜ｃｈ．４８は、スイッチ部９４と挿入部８６とが制御されて、符号で示すと、９４→８９→８６→９０の経路で、送信イースト（ＥＡＳＴ）側の現用回線のチャネルｃｈ．１〜ｃｈ．２４にループバックされ、スケルチ判定により、スケルチ部８９により、スケルチ判定チャネルに対してＰ−ＡＩＳ挿入が行われる。
【００８４】
図１７はウエスト側ループバック時の信号の流れ説明図であり、図１５と同一符号は同一部分を示し、ノードのイースト（ＥＡＳＴ）側の障害発生により、そのイースト（ＥＡＳＴ）側でループバックした場合を示す。その場合の切替系ユニットＨＳから主信号系ユニットＨＭへは、ファーエンド・ノードＩＤ（ＦＥＩＤ）と、ノードステータスＳＴ＝“１０”（イースト側スイッチ）と、ブリッジＢｒ＝“１”と、スイッチＳｗ＝“１”とからなる制御情報が転送される。
【００８５】
そして、受信ウエスト（ＷＥＡＴ）側の現用回線のチャネルｃｈ．１〜ｃｈ．２４は、挿入部８６とブリッジ部９５とが制御されて、符号で示すと、９４→８９→８６→９０→９５の経路で、送信ウエスト（ＷＥＳＴ）側の予備回線のチャネルｃｈ．２５〜ｃｈ．４８にループバックされ、スケルチ部９０によりスケルチ判定チャネルに対してＰ−ＡＩＳ挿入が行われる。
【００８６】
又受信ウエスト（ＷＥＳＴ）側の予備回線のチャネルｃｈ．２５〜ｃｈ．４８は、スイッチ部９３と挿入部８５とが制御されて、符号で示すと、９３→８８→８５→８７の経路で、送信ウエスト（ＷＥＳＴ）側の現用回線のチャネルｃｈ．１〜ｃｈ．２４にループバックされ、スケルチ部８８によりスケルチ判定チャネルに対してＰ−ＡＩＳ挿入が行われる。
【００８７】
図１８は予備回線チャネルに対するスケルチ処理の説明図であり、（ａ）に示すように、ノード（Ａ）〜（Ｆ）が実線の現用回線と点線の予備回線とを介して接続され、ノード（Ｆ），（Ｄ）間のＰＣＡ（プロテクション・チャネル・アクセス）パスにより実線矢印の経路で信号の送受信を行っている時に、図１８の（ｂ）に示すように、ノード（Ａ），（Ｆ）間に障害が発生し、ノード（Ａ），（Ｆ）にそれぞれリング・スイッチ発生により予備回線を使用することになった時、ノード（Ｆ），（Ｄ）間のＰＣＡパスは使用できなくなる。従って、予備回線チャネルの挿入個所は総てスルー状態とし、又予備回線チャネルからドロップする個所は、Ｐ−ＡＩＳを挿入するスケルチＳを実行することになる。即ち、パス・スルー・ノードは、予備回線チャネルを総てスルー状態として信号挿入は停止し、信号ドロップ・チャネルにはＰ−ＡＩＳ挿入を行うものである。
【００８８】
図１９はスイッチング・ノードに於けるスケルチ処理の説明図であり、（ａ）に示すように、ノード（Ａ）〜（Ｆ）がリング伝送路（細線による現用回線と点線による予備回線）により接続され、ノード（Ｂ），（Ｄ）に於いて切替系ユニットＨＳが引き抜かれた状態で、ノード（Ｃ），（Ｆ）間と、ノード（Ｆ），（Ｅ）間と、ノード（Ｅ），（Ｄ）間とに於いて、太線で示すようにＰＣＡパスを形成して通信を行っている時に、図１９の（ｂ）に示すように、ノード（Ａ）からノード（Ｆ）に向かう細線の現用回線と太線のＰＣＡパスとに障害が発生した場合、Ｓ点でスケルチを実行する。即ち、ノード（Ｆ），（Ｅ）は予備回線チャネルをスルー状態とし、その予備回線からドロップしていたチャネルにＰ−ＡＩＳを挿入するスケルチを実行する。
【００８９】
又ノード（Ａ）からのＡＰＳコードは、ノード（Ｂ）の切替系ユニットＨＳが抜けていると、ノード（Ｃ），（Ｄ）には伝達されないので、ノード（Ｃ），（Ｄ）は正常時の状態を維持している。このようなノード（Ｃ），（Ｄ）に対しても予備回線が使用できないことを通知する為に、スイッチング・ノードとなったノード（Ａ），（Ｆ）に於ける障害発生個所側から受信する予備回線のチャネルにＰ−ＡＩＳを挿入するスケルチを実行し、障害発生個所側へ送出する予備回線のチャネルはスルー状態とする。又はこの障害発生個所側へ送出する予備回線のチャネルにもＰ−ＡＩＳを挿入するスケルチを実行する。
【００９０】
図２０は予備回線チャネルに対するスケルチ処理の説明図であり、図１５と同一符号は同一部分を示し、切替系ユニットＨＳから主信号系ユニットＨＭへの制御情報のノード・ステータスＳＴ＝“０１”により、パス・スルーの状態を示す。即ち、挿入部８５によりイースト（ＥＡＳＴ）側の予備回線チャネルｃｈ．２５〜ｃｈ．４８をウエスト（ＷＥＳＴ）側の予備回線チャネルｃｈ．２５〜ｃｈ．４８に接続し、又挿入部８６によりウエスト（ＷＥＳＴ）側の予備回線チャネルｃｈ．２５〜ｃｈ．４８をイースト（ＥＡＳＴ）側の予備回線チャネルｃｈ．２５〜ｃｈ．４８に接続する。この場合、予備回線チャネルからタイムスロット・アサイン部８２，８３とセレクタ８０とを介してドロップする全チャネルに対しては、タイムスロット・アサイン前に警報表示信号部９１，９２からＡＩＳを挿入する。
【００９１】
図２１は予備回線チャネルに対するスケルチ処理の説明図であり、図１５と同一符号は同一部分を示し、切替系ユニットＨＳから主信号系ユニットＨＭへの制御情報のノードステータスＳＴ＝“１０”により、イースト・スイッチの状態を示す。即ち、ウエスト（ＷＥＳＴ）側からの予備回線チャネルｃｈ．２５〜ｃｈ．４８による信号は、スイッチ部９３とスケルチ部８８と挿入部８５とスケルチ部８７とを介して、ウエスト（ＷＥＳＴ）側への現用回線チャネルｃｈ．１〜ｃｈ．２４により送出される。そして、ウエスト（ＷＥＳＴ）側への予備回線チャネルｃｈ．２５〜ｃｈ．４８には、スケルチ部８７からＰ−ＡＩＳを挿入してスケルチが実行される。
【００９２】
又ウエスト（ＷＥＳＴ）側からの現用回線チャネルｃｈ．１〜ｃｈ．２４の信号は、符号のみで示すと、９４→８９→８６→９０→９５の経路で、ウエスト（ＷＥＳＴ）側への予備回線チャネルｃｈ．２５〜ｃｈ．４８により送出される。又イースト（ＥＡＳＴ）側及びウエスト（ＷＥＳＴ）側の予備回線チャネルｃｈ．２５〜ｃｈ．４８からタイムスロット・アサイン部８２，８３とセレクタ８０とを介してドロップする全チャネルに対しては、タイムスロット・アサイン前に警報表示信号部９１，９２からＡＩＳを挿入する。
【００９３】
図２２はサービス・セレクタ設定時の説明図であり、１００はサービス・セレクタ（ＳＳ）、１０１はドロップ・アンド・コンティニュー部である。リング伝送路によりノード（Ａ）〜（Ｆ）が接続された一方の伝送システムと、これと同様な他方の伝送システムとを、例えば、ノード（Ｄ），（Ｅ）を介して接続し、ノード（Ａ）と他方の伝送システムのノードとの間で、チャネルｃｈ．１により信号を送受信する場合、ノード（Ａ）からの信号をノード（Ｅ）のドロップ・アンド・コンティニュー部１０１によりドロップすると共に、ノード（Ｃ）へ送出する。又ノード（Ｄ）に於いて他方の伝送システムから受信した信号と、ノード（Ｅ）に於いて他方の伝送システムから受信した信号を、ノード（Ｅ）のサービス・セレクタ１００により正常な方を選択して送出する。従って、一方と他方との伝送システムは、二重化された伝送路によって接続されることになる。
【００９４】
図２３，図２４はサービス・セレクタ設定時のスケルチ・テーブルの説明図であり、ノード（Ａ）〜（Ｆ）対応のスケルチ・テーブル〔Ａ〕〜〔Ｆ〕と、リング・トボロジー〔Ａ〕〜〔Ｆ〕とを示す。なお、リング・トポロジー〔Ａ〕〜〔Ｆ〕の下部に示す０〜５はモディファイド・ノードＩＤを示す。例えば、ノード（Ａ）のリング・トポロジー〔Ａ〕は、図２２に示す接続構成に従って、ノード（Ａ）を先頭に時計回りの接続順序を示し、モディファイド・ノードＩＤは、ノード（Ａ）を０として順次昇順に付与される。
【００９５】
又他のノード（Ｂ）〜（Ｆ）のリング・トボロジー〔Ｂ〕〜〔Ｆ〕についても、同様に、自ノードを先頭に時計回りの接続順序を示し、且つモディファイド・ノードＩＤは、自ノードを０として順次昇順に付与される。又スケルチ・テーブル〔Ａ〕〜〔Ｆ〕は、モディファイド・ノードＩＤと基に、図示を省略しているモディファイド・スケルチ・テーブルを形成するものである。
【００９６】
又ノード（Ａ）のスケルチ・テーブル〔Ａ〕は、図２３に示すように、ウエスト（ＷＥＳＴ）側のチャネルｃｈ．１のＥ→Ｗ方向の送信ノードはＡ、受信ノードはＤ、Ｅ←Ｗ方向の送信ノードはＤ、受信ノードはＡを示す。又ノード（Ｂ），（Ｃ）のスケルチ・テーブル〔Ｂ〕，〔Ｃ〕は、チャネルｃｈ．１は使用していない状態を示す。
【００９７】
又ノード（Ｆ）のスケルチ・テーブル〔Ｆ〕は、チャネルｃｈ．１のＥ→Ｗ方向のイースト（ＥＡＳＴ）側の送信ノードＡ、受信ノードＤ、ウエスト（ＷＥＳＴ）側の送信ノードＡ、受信ノードＤを示し、Ｅ←Ｗ方向のイースト（ＥＡＳＴ）側の送信ノードＤ、受信ノードＡ、ウエスト（ＷＥＳＴ）側の送信ノードＤ、受信ノードＡを示している。又ノード（Ｅ）のスケルチ・テーブル〔Ｅ〕のチャネルｃｈ．１については、ノード（Ｆ）のスケルチ・テーブル〔Ｆ〕のチャネルｃｈ．１と同一の内容が格納されている。又ノード（Ｄ）のスケルチ・テーブル〔Ｄ〕のチャネルｃｈ．１については、イースト（ＥＡＳＴ）側のＥ→Ｗ方向の送信ノードＡ、受信ノードＤ、Ｅ←Ｗ方向の送信ノードＤ、受信ノードＡが格納されている。
【００９８】
この場合、ノード（Ｅ）に於いては、サービス・セレクタ１００が設定されて、２系統からのノード（Ａ）への信号を選択し、又ノード（Ａ）からの信号を、ドロップ・アンド・コンティニュー部１０１により２系統へ送出する場合であるが、最終的にドロップ及び挿入するノードを、受信ノード及び送信ノードとしてスケルチ・テーブルに格納する。
【００９９】
例えば、ノード（Ｅ），（Ｄ）間のチャネルｃｈ．１に障害が発生した場合、ノード（Ｅ），（Ｄ）間はＡＩＳ挿入が行われるが、ノード（Ａ）と図示を省略した他方の伝送システムとの間のチャネルｃｈ．１による通信は、ノード（Ｅ）を介して継続できるから、スケルチは実行されない。又マルチキャストの場合に於いても、送信ノードと最も遠いノードを受信ノードとしたスケルチ・テーブルを形成することになる。又このスケルチ・テーブルとモディファイド・ノードＩＤとにより、モディファイド・スケルチ・テーブルを形成する。又この場合、送信ノードと最も近いノードとの間に障害がなければ、少なくともその送信ノードと最も近いノードとの間は通信を継続できるから、その間のスケルチは実行されない。
【０１００】
図２５はノード間のパス設定状態説明図であり、ノード（Ａ）のイースト（ＥＡＳＴ）側のチャネルｃｈ．１〜ｃｈ．８によるノード（Ａ），（Ｂ）間と、チャネルｃｈ．９〜ｃｈ．１６によるノード（Ａ），（Ｃ）間と、チャネルｃｈ．１７〜ｃｈ．２４によるノード（Ａ），（Ｄ）間と、ノード（Ａ）のウエスト（ＷＥＳＴ）側のチャネルｃｈ．１〜ｃｈ．８によるノード（Ａ），（Ｆ）間と、チャネルｃｈ．９〜ｃｈ．１６によるノード（Ａ），（Ｅ）間と、チャネルｃｈ．１７〜ｃｈ．２４によるノード（Ａ），（Ｄ）間と、ノード（Ｃ）のイースト（ＥＡＳＴ）側のチャネルｃｈ．９〜ｃｈ．１６によるノード（Ｃ），（Ｅ）間と、ノード（Ｅ）のイースト（ＥＡＳＴ）側のチャネルｃｈ．１〜ｃｈ．８によるノード（Ｅ），（Ｆ）間とにパスが設定された場合を示す。
【０１０１】
図２６，図２７はスケルチ・テーブルの説明図であり、例えば、図２６に示すノード（Ａ）に於けるリング・トポロジー〔Ａ〕は、ノード（Ａ）を先頭に時計回りの接続順序を示し、自ノードに対して５個のノードが接続されていることを右側に示す。又スケルチ・テーブル〔Ａ〕は、チャネルｃｈ．１について、Ｅ→Ｗ方向（ＤＩＲＥＣ）のイースト（ＥＡＳＴ）側は、送信ノードＢ、受信ノードＡ、ウエスト（ＷＥＳＴ）側は、送信ノードＡ、受信ノードＦ、又Ｅ←Ｗ方向のイースト（ＥＡＳＴ）側は、送信ノードＡ、受信ノードＢ、ウエスト（ＷＥＳＴ）側は、送信ノードＦ、受信ノードＡを示し、チャネルｃｈ．９については、Ｅ→Ｗ方向のイースト（ＥＡＳＴ）側は、送信ノードＣ、受信ノードＡ、ウエスト（ＷＥＳＴ）側は、送信ノードＡ、受信ノードＥ、又Ｅ←Ｗ方向のイースト（ＥＡＳＴ）側は、送信ノードＡ、受信ノードＣ、ウエスト（ＷＥＳＴ）側は、送信ノードＥ、受信ノードＡを示す。又チャネルｃｈ．１７については、Ｅ→Ｗ方向とＥ←Ｗ方向とも送信ノードと受信ノードとはＡ，Ｄとなる。
【０１０２】
又例えば、図２７に示すノード（Ｅ）のスケルチ・テーブル〔Ｄ〕は、チャネルｃｈ．９のＥ→Ｗ方向とＥ←Ｗ方向とについては、送信ノードと受信ノードとはＥ，Ｃとなり、同様に、チャネルｃｈ．１７のＥ→Ｗ方向とＥ←Ｗ方向とについては、送信ノードと受信ノードとはＡ，Ｄとなる。
【０１０３】
図２８は複数障害時の説明図であり、ノード（Ａ），（Ｆ）間と、ノード（Ｅ），（Ｄ）間とに於いて障害が発生した場合を示し、ノード（Ａ），（Ｄ）に於けるループバックによりノード（Ａ）〜（Ｄ）からなるサブリングと、ノード（Ｅ），（Ｆ）に於けるループバックによりノード（Ｅ），（Ｆ）からなるサブリングとに分割された状態を示す。又Ｓはスケルチを行う点を示す。
【０１０４】
図２９，図３０はモディファイド・スケルチ・テーブルの説明図であり、前述の図２６，図２７に示すスケルチ・テーブル〔Ａ〕〜〔Ｆ〕を基にモディファイド・ノードＩＤを用いて形成したモディファイド・スケルチ・テーブル〔Ａ〕〜〔Ｆ〕を示し、例えば、モディファイド・スケルチ・テーブル〔Ａ〕に於ける「１B 」の「B 」は、モディファイド・ノードＩＤ＝１が、図２６のスケルチ・テーブル〔Ａ〕のノードＢに対応することを判り易くする為に付加している。他の添字についても同様である。
【０１０５】
又リング・トポロジー〔Ａ〕〜〔Ｆ〕は、自ノードを０として、Ａ〜Ｆで示すリング・トポロジーをモディファイド・ノードＩＤにより表したものである。又図２８に示す障害発生時に於ける切替系ユニットＨＳから主信号系ユニットＨＭへのファー・エンド・ノードＩＤ（ＦＥＩＤ）と、ノード・ステータスＳＴとブリッジＢｒとスイッチＳｗとからなる制御情報を示している。
【０１０６】
例えば、ノード（Ａ）に於いて、ウエスト（ＷＥＳＴ）側の障害により、ウエスト（ＷＥＳＴ）側で予備回線チャネルｃｈ．２５〜ｃｈ．４８によるループバックを形成するが、ＡＰＳコードの送信ノードがノードＦからノードＤに変化したことを識別することになる。このノード（Ｄ）はモディファイド・ノードＩＤ＝３であり、切替系ユニットＨＳから主信号系ユニットＨＭへ、“００１１”，“１１”，“１”，“１”のＦＥＩＤ（＝４），ＳＴ（＝ウエスト側スイッチ），Ｂｒ，Ｓｗからなる制御情報が転送される。
【０１０７】
そこで、主信号系ユニットＨＭに於いては、モディファイド・スケルチ・テーブル〔Ａ〕を参照し、モディファイド・ノードＩＤ＝４以上のノードが含まれているか否かを検索する。この場合、４以上のモディファイド・ノードＩＤが含まれているのは、チャネルｃｈ．１，ｃｈ．９であるから、このチャネルｃｈ．１，ｃｈ，９はスケルチが必要と判定する。又チャネルｃｈ．１７は、予備回線チャネルｃｈ．４１〜ｃｈ．４８によるループバックとなるから、このチャネルｃｈ．１７によるノード（Ａ），（Ｄ）間の通信は継続され、スケルチは不要であることが判る。
【０１０８】
又ノード（Ｅ）に於いては、イースト（ＥＡＳＴ）側の障害により、ウエスト（ＷＥＳＴ）側でループバックを形成するが、ＡＰＳコードの送信ノードがＡからＦに変化するから、信号が到達しないノードは、モディファイ・ノードＩＤ＝２以上であることを識別できる。その場合の切替系ユニットＨＳから主信号系ユニットＨＭへは、“０００１”，“１１”，“１”，“１”のＦＥＩＤ（＝１），ＳＴ（＝ウエスト側スイッチ），Ｂｒ，Ｓｗからなる制御情報が転送される。そこで、主信号系ユニットＨＭに於いては、モディファイド・スケルチ・テーブル〔Ｅ〕を参照し、モディファイド・ノードＩＤ＝２以上を検索する。それにより、チャネルｃｈ．９，ｃｈ．１７に２以上のモディファイド・ノードＩＤが含まれているから、スケルチが必要と判定する。
【０１０９】
他のノードに於いても、前述と同様な動作によって、モディファイド・スケルチ・テーブルを参照して、スケルチ判定を行うことができる。又複数障害発生による例えばノード（Ｅ）が属するサブリングと、ノード（Ｄ）が属するサブリングとに分割された場合、例えば、ノード（Ｅ）に於いて、そのモディファイド・スケルチ・テーブル〔Ｅ〕を参照し、送信ノード又は受信ノードがノード（Ｄ）が属するサブリングの場合、スケルチが必要と判定することができる。又スケルチ判定は、モディファイド・ノードＩＤの大小比較により行うことができるから、図１１〜図１４に示す比較的簡単な論理回路によってスケルチ判定回路を構成することができる。又ハードウェアにより高速でスケルチ判定を実行することができる。
【０１１０】
【発明の効果】
以上説明したように、本発明のリング伝送システムのスケルチ方法は、各ノードは、モディファイド・スケルチ・テーブルとスケルチ判定部等の手段を含み、障害発生時には、ノード・ステータスに応じてスケルチ判定を行うことができ、又モディファイド・ノード識別番号の大小比較によりスケルチ判定を行うことができるから、スケルチ判定部は比較的簡単な比較回路によって実現できると共に、ハードウェアによる高速判定が可能となる利点があり、現用回線と予備回線とを含むリング伝送路に於けるスケルチ判定も高速化が可能となり、又未使用回線に対するスケルチも可能となる利点がある。又予備回線のドロップ・チャネル又は未使用回線に対するスケルチにより、誤接続の発生を確実に防止できる利点がある。なお、リング・トボロジー・フレームを送出して各ノードの識別番号を挿入することにより、リング・トポロジーを構築し、それを基にノード間のパス設定に伴ったスケルチ・テーブルを形成し、且つ自ノードを基準値としたモディファイド・ノード識別番号に変換したモディファイド・スケルチ・テーブルを形成し、このモディファイド・スケルチ・テーブルを用いて、モディファイド・ノード識別番号の大小比較でスケルチ判定を行うことができる。
【図面の簡単な説明】
【図１】本発明の実施例のリング・トポロジー構築説明図である。
【図２】スケルチ・テーブル形成の説明図である。
【図３】スケルチ・テーブル形成の説明図である。
【図４】本発明の実施例のモディファイド・スケルチ・テーブルの説明図である。
【図５】ノードのユニット構成の説明図である。
【図６】障害発生時のノードの切替動作説明図である。
【図７】ノードの制御機能ブロック図である。
【図８】スケルチ判定の説明図である。
【図９】スケルチ判定の説明図である。
【図１０】スケルチ処理の説明図である。
【図１１】イースト側スケルチ判定部の説明図である。
【図１２】イースト側スケルチ判定部の説明図である。
【図１３】ウエスト側スケルチ判定部の説明図である。
【図１４】ウエスト側スケルチ判定部の説明図である。
【図１５】スケルチ挿入点の説明図である。
【図１６】イースト側ループバック時の信号の流れ説明図である。
【図１７】ウエスト側ループバック時の信号の流れ説明図である。
【図１８】予備回線チャネルに対するスケルチ処理の説明図である。
【図１９】スイッチング・ノードに於けるスケルチ処理の説明図である。
【図２０】予備回線チャネルに対するスケルチ処理の説明図である。
【図２１】予備回線チャネルに対するスケルチ処理の説明図である。
【図２２】サービス・セレクタ設定時の説明図である。
【図２３】サービス・セレクタ設定時のスケルチ・テーブルの説明図である。
【図２４】サービス・セレクタ設定時のスケルチ・テーブルの説明図である。
【図２５】ノード間のパス設定状態説明図である。
【図２６】スケルチ・テーブルの説明図である。
【図２７】スケルチ・テーブルの説明図である。
【図２８】複数障害時の説明図である。
【図２９】モディファイド・スケルチ・テーブルの説明図である。
【図３０】モディファイド・スケルチ・テーブルの説明図である。
【図３１】障害の救済説明図である。
【図３２】ＡＰＳプロトコルの説明図である。
【図３３】ヘッダ及びＫ１，Ｋ２バイトの説明図である。
【図３４】スケルチ動作説明図である。
【図３５】単一障害と複数障害との判定説明図である。
【符号の説明】
（Ａ）〜（Ｄ）  ノード
ＲＬ  リング伝送路
ＩＤ  ノード識別番号
【図１】
0003787810.tif 000002
【図２】
0003787810.tif 000003
【図３】
0003787810.tif 000004
【図４】
0003787810.tif 000005
【図５】
0003787810.tif 000006
【図６】
0003787810.tif 000007
【図７】
0003787810.tif 000008
【図８】
0003787810.tif 000009
【図９】
0003787810.tif 000010
【図１０】
0003787810.tif 000011
【図１１】
0003787810.tif 000012
【図１２】
0003787810.tif 000013
【図１３】
0003787810.tif 000014
【図１４】
0003787810.tif 000015
【図１５】
0003787810.tif 000016
【図１６】
0003787810.tif 000017
【図１７】
0003787810.tif 000018
【図１８】
0003787810.tif 000019
【図１９】
0003787810.tif 000020
【図２０】
0003787810.tif 000021
【図２１】
0003787810.tif 000022
【図２２】
0003787810.tif 000023
【図２３】
0003787810.tif 000024
【図２４】
0003787810.tif 000025
【図２５】
0003787810.tif 000026
【図２６】
0003787810.tif 000027
【図２７】
0003787810.tif 000028
【図２８】
0003787810.tif 000029
【図２９】
0003787810.tif 000030
【図３０】
0003787810.tif 000031
【図３１】
0003787810.tif 000032
【図３２】
0003787810.tif 000033
【図３３】
0003787810.tif 000034
【図３４】
0003787810.tif 000035
【図３５】
0003787810.tif 000036